(57)【特許請求の範囲】
【請求項１】
媒体に記録を行う記録ヘッドと、
前記媒体を前記記録ヘッドに向けて搬送する媒体搬送手段と、
前記記録ヘッドの下方側において、前記媒体を媒体搬送方向と交差する方向に間隔をあけて設けられる複数のリブによって支持する支持部材と、
前記支持部材の下流側に設けられ、前記媒体を排出する媒体排出手段と、を備え、
前記支持部材は、前記リブが設けられる基部と、前記リブの下流側に設けられるとともに、前記基部より低い低位置部と、を備え、
前記低位置部に続いて前記媒体排出手段に前記媒体を誘う誘い部が設けられるとともに、前記誘い部は複数段の傾斜によって形成され、
前記誘い部は、上流側に設けられる第１の傾斜部と、前記第１の傾斜部の下流側に設けられるとともに、前記支持部材における水平面に対する角度が、前記第１の傾斜部の角度より大きく形成される第２の傾斜部と、を備えている、
ことを特徴とする、記録装置。
【請求項２】
請求項１に記載された記録装置において、
前記低位置部に対向する位置において、搬送される前記媒体と接触して従動回転する回転体を備える、
ことを特徴とする、記録装置。
【請求項３】
請求項２に記載された記録装置において、
前記誘い部における前記複数段の傾斜の角度変更位置は、搬送される前記媒体と前記回転体が接触したときの媒体先端位置よりも下流側である、
ことを特徴とする、記録装置。
【請求項４】
請求項１から請求項３のいずれか一項に記載された記録装置において、
前記リブを媒体搬送方向において分断する分断部を少なくとも１つ備える、
ことを特徴とする、記録装置。
【請求項５】
請求項１から請求項４のいずれか一項に記載された記録装置において、
前記誘い部は、所定の種類の媒体の搬送領域に対して設けられている、
ことを特徴とする、記録装置。
【請求項６】
請求項５に記載された記録装置において、
前記所定の種類の媒体はロール状媒体である、
ことを特徴とする、記録装置。
【請求項７】
請求項６に記載された記録装置において、
前記媒体排出手段は、排出駆動ローラー及び排出従動ローラーと、を有し、
前記ロール状媒体が、前記排出駆動ローラーと前記排出従動ローラーに挟持される前に、当該ロール状媒体に対して記録を行う、
ことを特徴とする、記録装置。
【請求項８】
請求項７に記載された記録装置において、
前記ロール状媒体に対して余白無く記録を行う縁無し記録モードを備える、
ことを特徴とする、記録装置。
【発明の詳細な説明】
【技術分野】
【０００１】
本発明は、記録装置に関するものである。
【背景技術】
【０００２】
インクジェットプリンター等の記録装置では、媒体としての用紙に記録を行う記録ヘッドと、その下方において前記用紙を支持するプラテンとの間に、例えば搬送駆動ローラーと搬送従動ローラーとを有する媒体搬送手段によって用紙が搬送されるように構成されている。そしてプラテン上において記録が行われた後、記録後の用紙はプラテンの下流側に設けられる媒体排出手段によって排出される。媒体排出手段としては、例えば、排出駆動ローラーと排出従動ローラーとを有する排出手段が用いられる。
【０００３】
ところで、搬送される用紙において、その先端が下側（プラテン側）に向くようなカールがある場合、図８に示すように、前記カールにより用紙Ｓがプラテン５７上において盛り上がるように浮き上がる場合がある。  
より具体的には、用紙Ｓが搬送駆動ローラー５１と搬送従動ローラー５２によって下流側に搬送されるにしたがって、用紙Ｓの浮き上がりの頂点位置が高くなる。  
この用紙Ｓの浮き上がりによって、記録ヘッド５４の下面に用紙Ｓが接触して記録面が汚れる虞がある。特に用紙Ｓが、長尺の用紙がロール芯の周りにロール状に巻かれた、所謂ロール紙Ｒである場合には、巻癖によるカールが強く、前記用紙の浮き上がりが大きくなり易い。
【０００４】
このような用紙浮きを抑制するため、特許文献１には、用紙をプラテンに押し付けるように搬送することにより、用紙のカールを矯正するように構成された記録装置が開示されている。  
しかしながら特許文献１の構成では、ロール紙のカールが強い場合には、前記プラテンへの用紙の押し付けによってカールが矯正しきれず、記録ヘッドに接触する虞がある。
【０００５】
また、特許文献２には、プラテンの搬送方向下流側に設けられる紙案内部材の紙案内面を前記プラテン面よりも下げることにより、記録ヘッド下のロール紙の浮き上がりを抑制する記録装置が開示されている。
【先行技術文献】
【特許文献】
【０００６】
【特許文献１】特開２００６−１４２７７７号公報
【特許文献２】特開２００６−２２４５０６号公報
【発明の概要】
【発明が解決しようとする課題】
【０００７】
ここで、特許文献１のように、プラテン上において記録が行われた用紙を排出手段によって排出する場合、通常、前記排出手段は前記プラテンとほぼ同じ高さに設けられているとともに、前記排出手段に前記プラテン上の用紙を誘う誘い部（特許文献１における第２の傾斜部２１８ｃ）が設けられている。  
例えば前記排出手段を備える記録装置において、特許文献２のように、プラテンの搬送方向下流側の紙案内面を前記プラテン面より下げる場合には、その下がった紙案内面から前記誘い部によって前記排出手段に対して用紙を誘うように構成される。  
この場合、前記誘い部の傾斜角度は前記用紙が突き当たって引っ掛からない程度の傾斜に設定されるため、前記誘い部が搬送方向に長くなり、装置が大型化する虞がある。
【０００８】
そこで、本発明の目的は、装置の大型化を抑制しつつ、搬送手段から送られる媒体のプラテン上における浮き上がりを低減することまた、媒体の印刷領域を広げることにある。
【課題を解決するための手段】
【０００９】
上記課題を解決するため、本発明の第１の態様に係る記録装置は、媒体に記録を行う記録ヘッドと、前記媒体を前記記録ヘッドに向けて搬送する媒体搬送手段と、前記記録ヘッドの下方側において、前記媒体を媒体搬送方向と交差する方向に間隔をあけて設けられる複数のリブによって支持する支持部材と、前記支持部材の下流側に設けられ、前記媒体を排出する媒体排出手段と、を備え、前記支持部材は、前記リブが設けられる基部と、前記リブの下流側に設けられるとともに、前記基部より低い低位置部と、を備え、前記低位置部に続いて前記媒体排出手段に前記媒体を誘う誘い部が設けられるとともに、前記誘い部は複数段の傾斜によって形成され、前記誘い部は、上流側に設けられる第１の傾斜部と、前記第１の傾斜部の下流側に設けられるとともに、前記支持部材における水平面に対する角度が、前記第１の傾斜部の角度より大きく形成される第２の傾斜部と、を備えている、ことを特徴とするものである。
【００１０】
本明細書において、前記記録装置において前記媒体が搬送されていく方向を「下流」といい、これと反対の方向を「上流」というものとする。  
本態様によれば、前記支持部材が、基部に設けられるリブの下流側に、前記基部よりも低い低位置部を備えるので、前記媒体が下流側へ搬送されるに連れて媒体の浮き上がりが生じる場合に、前記媒体の先端が前記低位置部に下がることにより、前記媒体の浮きの頂点を下げることができる。以って、前記媒体の記録ヘッドの下面への接触を回避することができる。
【００１１】
加えて、前記低位置部から前記媒体排出手段に前記媒体を誘う誘い部が、複数段の傾斜によって形成されていることにより、１段階の傾斜面を有する誘い部よりも短い搬送距離で、媒体先端の引っ掛かりを抑えながら、前記媒体を前記低位置部の高さから前記媒体排出手段の高さまで誘導することが可能となる。
【００１２】
また、前記媒体が前記媒体搬送手段によって搬送されて、媒体の先端が前記低位置部から前記誘い部の傾斜によって誘導されると、媒体が下流側に搬送されるにしたがって前記媒体の先端は前記傾斜に沿って上方に上がっていくため、支持部材上における媒体の浮き上がりが大きくなる。  
本態様においては、前記誘い部の上流側に設けられる第１の傾斜部の傾斜と、下流側に設けられる第２の傾斜部において、前記第２の傾斜部は前記支持部材における水平面に対する角度が、前記第１の傾斜部の角度より大きく形成されている。  
このことによって、前記第１の傾斜部における前記媒体の搬送距離当たりの媒体の浮き上がりは、第２の傾斜部における前記媒体の搬送距離当たりの媒体の浮き上がりよりも少なくなる。したがって、より上流側における前記媒体の浮き上りを抑えることができる。
【００１３】
本発明の第２の態様に係る記録装置は、第１の態様において、前記低位置部に対向する位置において、搬送される前記媒体と接触して従動回転する回転体を備える、ことを特徴とするものである。
【００１４】
本態様によれば、前記回転体によって、前記媒体を前記支持部材の前記低位置部に向けて押えるので、前記低位置部上における媒体の浮き上がりを抑制することができる。  
また、前記回転体は前記低位置部に対向する位置に設けられるので、当該回転体は、前記基部に設けられるリブとは媒体搬送方向に離れた位置に配置されることとなる。このことによって、前記回転体と前記リブとの間において媒体に作用する負荷（バックテンション）を増大させることなく、前記媒体の浮き上がりを抑制することができる。
【００１５】
本発明の第３の態様に係る記録装置は、第２の態様において、前記誘い部における前記複数段の傾斜の角度変更位置は、搬送される前記媒体と前記回転体が接触したときの媒体先端位置よりも下流側である、ことを特徴とするものである。
【００１６】
前述のように、媒体の先端が前記低位置部から前記誘い部の傾斜を搬送されていくと、前記媒体の先端は前記傾斜に沿って上方に上がり、前記媒体が浮き上ってくる。  
本態様によれば、前記誘い部における前記複数段の傾斜の角度変更位置が、搬送される前記媒体と前記回転体が接触したときの媒体先端位置よりも下流側であるので、前記媒体と前記回転体が接触する前における、前記誘い部の傾斜による前記媒体の搬送距離当たりの浮き上がり量を一定にすることができる。  
前記媒体と前記回転体が接触する前に記録を行うと、前記媒体の浮き上がりにより記録ヘッドと媒体との間の距離（用紙ギャップ）が記録中に変わるため、記録画質にムラが生じる場合がある。前記媒体の搬送距離当たりの浮き上がり量が一定であることにより、前記画質ムラを目立ち難くすることができる。
【００１７】
また、特に前記複数段の傾斜を緩傾斜（上流側）から急傾斜（下流側）になるように角度変更することにより、前記回転体が前記媒体に接する前までは、前記誘い部による前記媒体の搬送距離当たりの浮き上がり量を抑える構成とすることができる。
【００１８】
本発明の第４の態様に係る記録装置は、第１の態様から第３の態様のいずれか一つにおいて、前記リブを媒体搬送方向において分断する分断部を少なくとも１つ備える、ことを特徴とするものである。
【００１９】
本態様によれば、前記リブを媒体搬送方向において分断する分断部においてインクを打ち捨てることが可能となり、媒体に余白無く記録を行う所謂縁無し記録を行うことができる。
【００２０】
本発明の第５の態様に係る記録装置は、第１の態様から第４の態様のいずれか一つにおいて、前記誘い部は、所定の種類の媒体の搬送領域に対して設けられている、ことを特徴とするものである。
【００２１】
本態様によれば、所定の種類の媒体を搬送する場合に、第１の態様から第５の態様のいずれかと同様の作用効果を奏し、前記支持部材上における媒体の浮きを効果的に抑制することができる。
【００２２】
本発明の第６の態様に係る記録装置は、第５の態様において、前記所定の種類の媒体はロール状媒体である、ことを特徴とするものである。
【００２３】
本態様によれば、巻癖によってカールし易いロール状媒体を搬送する場合に、前記支持部材上における媒体の浮きを効果的に抑制することができる。
【００２４】
本発明の第７の態様に係る記録装置は、第６の態様において、前記媒体排出手段は、排出駆動ローラー及び排出従動ローラーと、を有し、前記ロール状媒体が、前記排出駆動ローラーと前記排出従動ローラーに挟持される前に、当該ロール状媒体に対して記録を行う、ことを特徴とするものである。
【００２５】
本発明の第８の態様に係る記録装置は、第７の態様において、前記ロール状媒体に対して余白無く記録を行う縁無し記録モードを備える、ことを特徴とするものである。
【００２６】
本態様によれば、ロール状媒体に対して縁無し記録を行うことができる。
【図面の簡単な説明】
【００２７】
【図１】（Ａ）は、本発明の一実施例に係る記録装置の外観を表す斜視図であり、（Ｂ）は、上面カバーが開いた状態の記録装置を背面側から見た斜視図。
【図２】本発明に係る記録装置の側断面図。
【図３】本発明に係る記録装置の要部拡大側断面図。
【図４】本発明に係る記録装置の要部斜視図。
【図５】本発明に係る記録装置の要部平面図。
【図６】本発明に係る記録装置の要部側面図。
【図７】誘い部の傾斜について説明する図。
【図８】従来の記録装置の要部側面図。
【発明を実施するための形態】
【００２８】
以下において、本発明の一実施形態に係る記録装置について、添付図面を参照して説明する。尚、本発明はこれらによって制約されるものではない。
【００２９】
［実施例１］
まず、本発明の一実施例に係る記録装置１の概略について説明する。本実施例の記録装置１の一例として、インクジェット式プリンターを例に挙げる。  
図１は、（Ａ）は、本発明の一実施例に係る記録装置の外観を表す斜視図であり、（Ｂ）は、上面カバーが開いた状態の記録装置を背面側から見た斜視図である。図２は、本発明に係る記録装置の側断面図である。図３は、本発明に係る記録装置の要部拡大側断面図である。図４は、本発明に係る記録装置の要部斜視図である。図５は、本発明に係る記録装置の要部平面図である。図６は、本発明に係る記録装置の要部側面図である。図７は、誘い部の傾斜について説明する図である。図８は、従来の記録装置の要部側面図である。
【００３０】
記録装置１は図１に示すように、該記録装置１の本体２、本体２の上面部６（図２を参照）を開閉する上面カバー３、および本体２の図１における前面（＋Ｙ方向側の側面）側に開閉する排紙カバー４によって、その外観が構成されている。  
なお、各図において示すＸ−Ｙ−Ｚ座標系はＸ方向が記録ヘッドの走査方向、Ｙ方向が記録装置の奥行き方向である。Ｚ方向は重力方向であり、装置高さ方向を示している。また、＋Ｙ方向側を装置前面側とし、−Ｙ方向側を装置背面側とする。また、装置前面側から見て右側を＋Ｘ方向、左側を−Ｘ方向とする。また、＋Ｚ方向を装置上方（上部、上面等を含む）とし、−Ｚ方向側を装置下方（下部、下面等を含む）とする。
【００３１】
上面部６には、記録装置１において、媒体としての単票紙Ｐを挿入する媒体セット部７が設けられている（図２を参照）。上面カバー３は、媒体セット部７を含む上面部６を開閉するカバーであり、開状態において媒体セット部７にセットされる単票紙Ｐを支持面１２で支持するように構成されている。
【００３２】
実施例１に係る記録装置１は、図２に示すように、媒体としての単票紙Ｐに対して記録を行う他、ロール紙Ｒに対しても記録を行うように構成されており、記録装置１の本体２の背面側、すなわち、媒体セット部７の媒体搬送方向上流側（−Ｙ側）に着脱自在に取り付けられるロール紙ユニット５から、媒体セット部７にロール紙Ｒを送り、ロール紙Ｒへの記録を行うことができる。
【００３３】
ロール紙ユニット５内にはロール軸に巻かれたロール紙Ｒが納められている。ロール紙ユニット５から送り出されるロール紙Ｒの先端は、上部カバー３の下流側端部側に設けられたロール紙挿入口１０に、上部カバー３の支持面１２の背面９側から挿入される。そして、ロール紙Ｒの先端は、上部カバー３と本体２との間を通る形で支持面１２側に出されて、ホッパー１３にセットされるように構成されている。
【００３４】
次に、図２を用いて記録装置１の内部構造の概略を説明する。尚、図２には単票紙Ｐとロール紙Ｒの搬送経路が示してある。ロール紙Ｒの搬送経路と単票紙Ｐの搬送経路は、例えば符号２５の合流位置において合流するように構成されている。  
記録装置１において、媒体としての単票紙Ｐ、ロール紙Ｒは、図２の＋Ｙ方向へ搬送される構成である。尚、以下において、記録装置１において媒体が搬送されていく方向を「下流」といい、これと反対の方向を「上流」という場合がある。
【００３５】
本体２の内部には、単票紙Ｐ、ロール紙Ｒ等の媒体に液体を吐出して記録を行う記録ヘッド１７を備えたキャリッジ１６が、媒体搬送方向（＋Ｙ方向）と交差する方向（Ｘ軸方向）に往復動するように設けられている。キャリッジ１６には、記録を行うための液体（例えばインク）を記録ヘッド１７に供給するための液体収納体２０が搭載されている。
【００３６】
単票紙Ｐまたはロール紙Ｒ（以下、用紙Ｓと総称する）は、給紙ローラー１４により搬送方向下流に向けて給送される。  
更に、搬送方向上流側から送られる用紙Ｓは、搬送駆動ローラー２１と搬送従動ローラー２２を備えた媒体搬送手段２３によって挟圧された状態で、記録ヘッド１７の下方（−Ｚ方向側）の記録位置に搬送される。  
記録ヘッド１７の下方には、記録ヘッド１７と対向して記録ヘッド１７の液体吐出面と用紙Ｓとの間の用紙ギャップを規定する支持部材１８が設けられている。記録ヘッド１７と支持部材１８との間において、用紙Ｓに記録ヘッド１７から液体（インク）を吐出することによって記録が実行される。尚、支持部材１８の構成については、後に詳述する。
【００３７】
記録ヘッド１７の搬送方向下流側には、排出駆動ローラー２６と排出従動ローラー２７とを備える媒体排出手段２８が設けられている。  
また、記録ヘッド１７と媒体排出手段２８の間には、回転体２９が設けられている。回転体２９は、記録ヘッド１７から媒体排出手段２８へ至る用紙Ｓの搬送経路上に、用紙Ｓの記録面と接して従動回転するよう設けられることで、用紙Ｓの支持部材１８からの浮き上がりを防止して用紙Ｓと記録ヘッド１７との距離を一定に保つ機能を果たす（詳細は後述する）。  
記録後の用紙Ｓは，媒体排出手段２８によって下流側に送られて媒体排出部１９から排出され、開状態の排紙カバー４上に載置されるように構成されている。
【００３８】
また、本体２の上面部６には、メニューやエラー等の各種情報を表示する液晶ディスプレイ８（図２）の他、操作ボタン類を配置した操作パネル（不図示）が設けられている。  
また、開いた状態で支持面１２に単票紙Ｐを支持する上面カバー３は、その支持面１２がホッパー１３の載置面１５の傾斜に沿うように構成されている。
【００３９】
次に、支持部材１８とその周辺の構成要素について説明する。図３〜図５に示すように、支持部材１８は、上流側に基部３０を備え、基部３０には媒体搬送方向と交差する方向（Ｘ軸方向）に間隔をあけて設けられる複数のリブ３１（図４を参照）が設けられている。更に、それぞれのリブ３１の下流側には、リブ３２、リブ３３が搬送方向（＋Ｙ方向）沿って設けられている。用紙Ｓは、リブ３１、リブ３２、リブ３３によってその下方側から支持される。
【００４０】
図３および図４に示すように、リブ３１とリブ３２の間には、リブ３１とリブ３２とを分断する分断部３４がＸ軸方向に延設されており、リブ３２とリブ３３との間には同様に両リブを分断する分断部３５がＸ軸方向に延設されている。  
分断部３４と分断部３５は、それぞれ用紙Ｓの先端或いは後端から外れた部分に吐出されるインクを打ち捨てるためのものである。例えば、用紙Ｓの先端を分断部３４または分断部３５の上部に配置した状態でインクを吐出する。これにより、用紙Ｓ先端に縁無し記録が実行されるとともに、分断部３４または分断部３５に用紙Ｓ先端から外れたインクが打ち捨てられる。同様に、用紙Ｓの下端に対しても縁無し記録を実行することができる。
【００４１】
尚、リブ３１、リブ３２、リブ３３は、Ｘ軸方向にリブ高さの異なる２種類のリブを規則的に交互に設ける構成とすることが望ましい。このことにより、用紙Ｓに規則的な波打ち状態（コックリング）を形成し、記録品質の向上を図ることができる。  
「リブを規則的に交互に配設」とは、リブ高さの異なる２種類のリブ（高いリブと低いリブ）が一つずつ交互に設けられる場合に限られず、例えば、二つの高いリブと二つの低いリブが交互に設けられる場合、すなわちそれぞれのリブを二つおきに配設する場合や、一つの高いリブと二つの低いリブを交互に設ける場合等が含まれる。
【００４２】
更に、支持部材１８は、リブ３３の下流側に、基部３０より下方（−Ｚ方向）に位置する低位置部４０を備えている。尚、基部３０と低位置部４０との段差は、本実施例においては１ｍｍ程度に設定されている。  
また、低位置部４０に続いて、媒体排出手段２８に用紙Ｓを誘う誘い部４１が設けられている。
【００４３】
誘い部４１は複数段の傾斜で形成されており、より具体的には、本実施例に係る誘い部４１には、図６に示すように、上流側に設けられる第１の傾斜部４２と、第１の傾斜部４２の下流側に設けられる第２の傾斜部４３によって２段階の傾斜が形成されている。本実施例においては、第２の傾斜部４３は、支持部材１８の基部３０における水平面（Ｘ−Ｙ平面）に対する角度が、第１の傾斜部４２の角度より大きく形成されている。すなわち、第２の傾斜部４３が第１の傾斜部４２よりも急角度に形成されている。  
例えば、前述のように基部３０と低位置部４０との段差が１ｍｍ程度である場合、第１の傾斜部４２の傾斜角度は１０°程度、第２の傾斜部４３の傾斜角度は３０°程度に設定することができる。尚、以下において傾斜角度とは、支持部材１８の基部３０における水平面（Ｘ−Ｙ平面）に対する傾斜角度であり、また、基部３０と略平行に設けられる記録ヘッド１７の下面（ヘッド面）に対する傾斜角度でもある。  
尚、支持部材１８は、基部３０、リブ３１、リブ３２、リブ３３、低位置部４０、誘い部４１を樹脂材料によって一体的に形成することができる。
【００４４】
支持部材１８が以上のように構成されたことにより、以下の作用効果が得られる。
【００４５】
すなわち、支持部材１８が、基部３０に設けられるリブ３３の下流側に、基部３０よりも低い低位置部４０を備えるので、用紙Ｓが下流側へ搬送されるに連れて用紙Ｓの浮き上がりが生じる場合に、用紙Ｓの先端が低位置部４０に下がることにより、用紙Ｓの浮き上がりの頂点を下げることができる。以って、用紙Ｓの記録ヘッド１７への接触を回避することができる。
【００４６】
ここで、図８に示す従来技術と対比しながら更に説明する。   
前述の背景技術において説明したように、図８において、ロール紙Ｒのようにカールが強い用紙Ｓは、搬送駆動ローラー５１と搬送従動ローラー５２によって下流側に搬送されるにしたがって浮き上がりが次第に大きくなる。すなわち、用紙Ｓの浮き上がりの大きさは符号ｅ＜符号ｆ＜符号ｇとなる。尚、符号ｅ、ｆ、ｇはそれぞれ所定の搬送時点における用紙の姿勢（カール状態）を示している。  
特に、回転体５６に用紙Ｓが接触する前の浮き上がりが最も大きくなり、符号ｆのように記録ヘッド５４の下面の位置を超える高さに浮き上がる場合には、用紙Ｓが記録ヘッド５４に接触して記録面を汚してしまう虞がある。
【００４７】
記録ヘッド５４の下流側であって支持部材としてのプラテン５７の上方に設けられる回転体５６に用紙Ｓが接触すると、回転体５６によって用紙Ｓが押えられることにより用紙Ｓの浮き上がりは低減し（点線で示す符号ｇの状態）、更に用紙Ｓが搬送されて誘い部５３に誘導され、排出駆動ローラー５４と排出従動ローラー５５に挟時されると、用紙Ｓの浮き上がりはほぼ抑えられる（実線で示す用紙Ｓの状態）。
【００４８】
記録ヘッド５４の下面位置を高くすれば用紙Ｓが接触する虞は低減するが、適切な記録品質を得るための用紙ギャップ（記録ヘッド５４と用紙との間隔）が設定できなくなるほか、装置の高さ方向への大型化を招く。  
したがって従来は、ロール紙Ｒのようにカールが強い用紙Ｓに対しては、排出駆動ローラー５４と排出従動ローラー５５に用紙Ｓが挟時されてその浮き上がりが抑えられた状態になってから記録を行っていた。このため、用紙Ｓの先端が記録ヘッド５４の下方にあるときに記録を行う縁無し記録は、カールが強い用紙に対しては行うことができなかった。
【００４９】
本実施例の支持部材１８では、図６に示すように、基部３０上を用紙Ｓが搬送されているときには、下流側に搬送されるにしたがって浮き上がりが大きくなるが（符号ａ、符号ｂ）、用紙Ｓの先端が低位置部４０に下がったとき（符号ｃの状態）には用紙Ｓの浮き上がりの頂点を下げることができるので、用紙Ｓが回転体２９に接する前においても記録ヘッド１７への接触を回避できる。
【００５０】
このことによって、排出駆動ローラー２６と排出従動ローラー２７に用紙Ｓが挟時される前に記録を行うことが可能となる。したがって、用紙Ｓの先端が記録ヘッド１７の下方にあるときに記録を開始することができる。すなわち、縁無し記録が実行可能となる。  
尚、本実施例においては、記録装置１の制御部（図示せず）が、ロール紙Ｒに対して余白無く記録を行う縁無し記録モードを備え、ロール紙Ｒへの縁無し記録を実行可能に構成されている。
【００５１】
加えて、低位置部４０から媒体排出手段２８に用紙Ｓを誘う誘い部４１が、第１の傾斜部４２と第２の傾斜部４３の２段階の傾斜によって形成されていることにより、誘い部４１が１段階の傾斜面で形成される場合よりも短い搬送距離で用紙Ｓを低位置部４０の高さから媒体排出手段２８の高さまで誘導することが可能となる。  
例えば、図７に示すように、低位置部４０がＺ０の高さにあり、媒体排出手段２８がＺ１の高さにある場合、例えばＺ０からＺ１までの高さＤを急な角度（θ１）の傾斜［図７（Ａ）］によって媒体を誘うと、傾斜のＹ方向の長さＬ１は短いが、用紙Ｓが傾斜の途中で突き当たり、引っ掛かってしまう虞がある。
【００５２】
一方、用紙Ｓが図７（Ｂ）のように引っ掛からない程度の緩やかな角度（θ２）の傾斜によって媒体を誘うと、用紙Ｓが傾斜途中で引っ掛かる虞は低減するが、傾斜のＹ方向の長さＬ２が長くなり、装置のＹ軸方向への大型化に繋がる。  
しかし、図７（Ｃ）のように誘い部４１の傾斜を、例えば角度θ２の傾斜（第１の傾斜部４２）と角度θ１の傾斜（第２の傾斜部４３）の二段階にすることによって、傾斜のＹ方向の長さＬ３は、図７（Ｂ）の場合よりも短くなり、装置のＹ軸方向への大型化を抑制することができる。  
また、図７（Ｃ）における高さＤ２（第２の傾斜部４３の高さ）を、図（Ａ）における高さＤ１（用紙Ｓが引っ掛かる高さ）よりも小さくすることにより、用紙Ｓが傾斜の途中で引っ掛かる虞を低減し、確実に用紙Ｓを低位置部４０の位置Ｚ０から媒体排出手段２８の位置Ｚ１にまで誘うことが可能となる。
【００５３】
また、用紙Ｓが媒体搬送手段２３によって搬送されて、用紙Ｓの先端が低位置部４０から誘い部４１によって誘導されると、用紙Ｓが下流側に搬送されるにしたがって用紙Ｓの先端は前記傾斜に沿って上方に上がっていくため、用紙Ｓの浮き上がりが大きくなる。  
誘い部４１の上流側に設けられる第１の傾斜部４２の傾斜よりも、下流側に設けられる第２の傾斜部４３の傾斜が急斜面に形成されていることによって、第１の傾斜部４２における用紙Ｓの搬送距離当たりの浮き上がりは、第２の傾斜部４３における用紙Ｓの搬送距離当たりの用紙Ｓの浮き上がりよりも少なくなる。したがって、より上流側における用紙Ｓの浮き上がりを抑えることができる。
【００５４】
また、前述した回転体２９は、低位置部４０に対向する位置において、用紙Ｓと接触して従動回転するように設けられていることが好ましい。回転体２９が低位置部４０の上方に設けられることにより、回転体２９は、基部３０に設けられるリブ、特に最下流側のリブ３３とは媒体搬送方向に離れた位置に配置されることとなる。このことによって、回転体２９とリブ３３との間において用紙Ｓに作用する負荷（バックテンション）を増大させることなく、用紙Ｓの浮き上がりを抑制することができる。
【００５５】
また、誘い部４１における第１の傾斜部４２と第２の傾斜部４３の角度変更位置４４（図６を参照）は、搬送される用紙Ｓと回転体２９が接触したときの媒体先端位置よりも下流側であることが好ましい。
【００５６】
前述のように、用紙Ｓの先端が低位置部４０から誘い部４１の傾斜を搬送されていくと、用紙Ｓの先端は誘い部４１の傾斜に沿って上方に上がり、用紙Ｓが浮き上がってくる。  
本態様によれば、誘い部４１における角度変更位置４４が、搬送される用紙Ｓと回転体２９が接触したときの媒体先端位置よりも下流側であるので、用紙Ｓと回転体２９が接触する前における、誘い部４１の傾斜による用紙Ｓの搬送距離当たりの浮き上がり量を一定にすることができる。
【００５７】
用紙Ｓと回転体２９が接触する前に記録を行うと、用紙Ｓの浮き上がりにより記録ヘッド１７と用紙Ｓとの間の距離（用紙ギャップ）が記録中に変わるため、記録画質にムラが生じる場合がある。用紙Ｓの搬送距離当たりの浮き上がり量が一定であることにより、画質ムラを目立ち難くすることができる。
【００５８】
特に、本実施例のように、第２の傾斜部４３が第１の傾斜部４２よりも急斜面に形成されている、すなわち、上流側が緩斜面であり、下流側が急斜面になるように角度変更することにより、回転体２９が用紙Ｓに接する前までは、誘い部４１による用紙Ｓの搬送距離当たりの浮き上がり量を抑える構成とすることができる。
【００５９】
尚、誘い部４１は、記録装置１において使用可能な用紙Ｓの搬送領域に対して設けることができるが、所定の種類の用紙Ｓの搬送領域に対してのみ設けられていてもよい。例えば、ロール紙Ｒの搬送領域に誘い部４１を設けることにより、巻癖によってカールし易いロール紙Ｒに対し、支持部材１８上における浮き上がりを効果的に抑制することができる。
【００６０】
尚、本実施例では、二つの傾斜によって構成された誘い部４１において、第２の傾斜部４３が第１の傾斜部４２よりも急斜面に形成されている場合について説明したが、誘い部４１を３以上の複数の傾斜により形成する場合に、下流側の斜面よりも急傾斜に形成された上流側斜面を少なくとも一つ設けるように形成することも可能である。
【００６１】
尚、本発明は上記実施例に限定されることなく、特許請求の範囲に記載した発明の範囲内で種々の変形が可能であり、それらも本発明の範囲内に含まれるものであることは言うまでもない。
【符号の説明】
【００６２】
１  記録装置、２  本体、３  上面カバー、４  排紙カバー、
５  ロール紙ユニット、６  上面部、７  媒体セット部、
８  液晶ディスプレイ、９  背面、１０  ロール紙挿入口、
１２  支持面、１３  ホッパー、１４  給紙ローラー、１５  載置面、
１６  キャリッジ、１７  記録ヘッド、１８  支持部材、
１９  媒体排出部、２０  液体収納体、
２１  搬送駆動ローラー、２２  搬送従動ローラー、２３  媒体搬送手段、
２６  排出駆動ローラー、２７  排出従動ローラー、２８  媒体排出手段、
２９  回転体、３０  基部、３１  リブ、３２  リブ、３３  リブ、
３４  分断部、３５分断部、４０  低位置部、４１  誘い部、
４２  第１の傾斜部、４３  第２の傾斜部、
Ｐ  単票紙、Ｒ  ロール紙、Ｓ  用紙、
【図１】
0006344127.tif 000002
【図２】
0006344127.tif 000003
【図３】
0006344127.tif 000004
【図４】
0006344127.tif 000005
【図５】
0006344127.tif 000006
【図６】
0006344127.tif 000007
【図７】
0006344127.tif 000008
【図８】
0006344127.tif 000009